(57)【要約】【課題】内グリップの表面と外グリップの内面の間に適宜の空間部を構成することにより、手で外グリップを把持した時に外グリップが十分に弾性変形をするので非常に把持し易い筆記具の軸筒を提供する。【解決手段】筆記具本体を把持する部分に、軟質材からなる内グリップと、軟質材からなる外グリップを被覆した二層構造で構成したグリップを取り付けてなる筆記具の軸筒であって、前記外グリップの内面の両端に他の部分の外径よりも小さい内鍔、及び／又は内グリップの表面の両端に他の部分の外径よりも大きい外鍔を形成し、前記内グリップの表面が、前記外グリップの内鍔に当接して被覆、及び／又は前記外グリップの内面が、前記内グリップの外鍔に当接して被覆してあることを特徴とする。【選択図】        図１
2008012717.tif 000002
【特許請求の範囲】
【請求項１】
筆記具本体を把持する部分に、軟質材からなる内グリップと、軟質材からなる外グリップを被覆した二層構造で構成したグリップを取り付けてなる筆記具の軸筒であって、前記外グリップの内面の両端に他の部分の外径よりも小さい内鍔、及び／又は内グリップの表面の両端に他の部分の外径よりも大きい外鍔を形成し、前記内グリップの表面が、前記外グリップの内鍔に当接して被覆、及び／又は前記外グリップの内面が、前記内グリップの外鍔に当接して被覆してあることを特徴とする筆記具の軸筒。
【請求項２】
前記外グリップの内鍔間に、内グリップ側に向かって延びる突部を形成、及び／又は内グリップの外鍔間に、外グリップ側に向かって延びる突部を形成するとともに、前記外グリップの突部の最大高さが、前記外グリップの内鍔の高さより小さい、及び／又は前記内グリップの突部の最大高さが、前記内グリップの外鍔の高さより小さいことを特徴とする請求項１に記載の筆記具の軸筒。
【請求項３】
前記外グリップにおける一方の内鍔の内径及び対向する内グリップの外径が、他方の内鍔の内径及び対向する内グリップの外径よりも小さく、及び／又は前記内グリップにおける一方の外鍔の外径及び対向する外グリップの内径が、他方の外鍔の外径及び対向する内グリップの外径よりも小さくしたことを特徴とする請求項１または２に記載の筆記具のグリップ。
【発明の詳細な説明】
【技術分野】
【０００１】
本発明は、筆記具本体を把持する部分に、軟質材からなる内グリップに、軟質材からなる外グリップを被覆した二層構造で構成したグリップを取り付けてなる筆記具の軸筒に関するものである。
【背景技術】
【０００２】
従来、筆記具を把持する部分に取り付けられたグリップとしては、内方層と表面層との上下に積層した軟質材で形成し、内方層のショアー硬度がＨｓ（ＪＩＳ  Ａ）５〜３０、表面層のショアー硬度がＨｓ（ＪＩＳ  Ａ）４０以上で構成した筆記具のグリップが特開２０００−３５５１８５号公報「筆記具のグリップ」にて開示されている。
【０００３】
しかしながら、上記した筆記具のグリップは、内方層と表面層の間に空間部がなく、手で把持した時に十分な弾性変形が得られなかった。
【０００４】
また、特開平８ー１９７８８３号公報の「筆記具、塗布具における把持部構造」には、内部に気体又は液体又はゲル状体又はゼリー状体を封入した変形可能な筒状の把持体を配置してなる筆記具が開示されている。
【特許文献１】特開２０００−３５５１８５号公報
【特許文献２】特開平８−１９７８８３号公報
【特許文献３】特開２００５−４１０５０号公報
【特許文献４】実開平７−１５３７３号公報
【発明の開示】
【発明が解決しようとする課題】
【０００５】
しかしながら、内部に気体又は液体又はゲル状体又はゼリー状体を封入した筆記具の軸筒は、手で把持した時に十分な弾性変形が得られるが、グリップ内に気体又は液体又はゲル状体又はゼリー状体を配置する製造が困難であり、また内部に封入した気体又は液体又はゲル状体又はゼリー状体が漏れ出す恐れがある。
【０００６】
本発明は、上記課題を解消する筆記具の筆記具の軸筒を提供することを目的とするものである。
【課題を解決するための手段】
【０００７】
本発明は筆記具本体を把持する部分に、軟質材からなる内グリップと、軟質材からなる外グリップを被覆した二層構造で構成したグリップを取り付けてなる筆記具の軸筒であって、前記外グリップの内面の両端に他の部分の外径よりも小さい内鍔、及び／又は内グリップの表面の両端に他の部分の外径よりも大きい外鍔を形成し、前記内グリップの表面が、前記外グリップの内鍔に当接して被覆、及び／又は前記外グリップの内面が、前記内グリップの外鍔に当接して被覆してあることを第１の要旨とする。
【０００８】
また、前記外グリップの内鍔間に、内グリップ側に向かって延びる突部を形成、及び／又は内グリップの外鍔間に、外グリップ側に向かって延びる突部を形成するとともに、前記外グリップの突部の最大高さが、前記外グリップの内鍔の高さより小さい、及び／又は前記内グリップの突部の最大高さが、前記内グリップの外鍔の高さより小さいことを第２の要旨とする。
【０００９】
更に、前記外グリップにおける一方の内鍔の内径及び対向する内グリップの外径が、他方の内鍔の内径及び対向する内グリップの外径よりも小さく、及び／又は前記内グリップの一方の外鍔の外径及び対向する外グリップの内径が、他方の外鍔の外径及び対向する内グリップの外径よりも小さくしたことを第３の要旨とする。
【００１０】
本発明の軟質材とは、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップとして一般的に知られている弾性体のなかから適宜選定すればよい。また、内グリップ及び外グリップは、同一の種類でも異なる種類の軟質材であってもよく、硬度も内グリップと外グリップを同一硬度、または異なる硬度としてもよいが、低硬度のグリップは、経時によって膨潤しやすいので、内グリップの硬度を低くすることが好ましい。
【発明の効果】
【００１１】
本発明は、前記外グリップの内面の両端に他の部分の外径よりも小さい内鍔、又は内グリップの両端に他の部分の外径よりも大きい外鍔を形成し、内グリップの内面が、前記外グリップの内鍔に当接して被覆、及び／又は前記外グリップの内面が、前記内グリップの外鍔に当接して被覆することにより、内グリップの表面と外グリップの内面の間に適宜の空間部を構成することにより、手で外グリップを把持した時に外グリップが十分に弾性変形をするので非常に把持し易い効果が奏せられる。
【００１２】
更に、外グリップの内面の両端に内鍔、及び／又は内グリップの表面の両端に外鍔を形成してあるので、外グリップと内グリップの接触面積が減少し、外グリップを内グリップに容易に被覆して装着することができ、組立性を向上させることができる。
【発明を実施するための最良の形態】
【００１３】
内グリップの表面と外グリップの内面との間に適宜の空間部を構成することにより、外グリップを把持した時に外グリップが弾性変形をして把持し易い筆記具のグリップを実現した。
【実施例１】
【００１４】
以下、図１から図３に基づいて本発明における実施例１の筆記具の軸筒１を説明する。軸筒本体２の先端部に、他の外径よりも細径に形成された把持部３を形成し、この把持部３に内グリップ５を外嵌する。次に、内グリップ５に外グリップ４を被覆する。さらにその後、口先部材６の内壁に形成した雌ねじ部８を、軸筒本体２の先端に形成した雄ねじ部７に螺着し、口先部材６と軸筒本体２によって、内グリップ及び外グリップを圧縮した状態で保持して筆記具の軸筒１を得ている。
【００１５】
軟質材で作製された内グリップ５の表面の前端と後端に他の部分の外径よりも大きい外鍔５ｂ、５ｃを形成してある。そのため、内グリップ５に軟質材で作製された外グリップ４を被せる時に、内グリップ５の外鍔５ｂ、５ｃのみが外グリップ４の内面４ａに接触するので、外グリップ４を内グリップ５に被せやすい。
【００１６】
こうして得られた二層構造のグリップは、内グリップ５の外鍔５ｂのみが外グリップ４の内面に接触し、その他の部分は、内グリップ４と外グリップ５の内面の間に適宜の空間部５ａが構成されるので、手で外グリップ４を把持した時に、外グリップ４が十分に弾性変形して内側に撓み、非常に柔らかい感触を得ることができる。
【実施例２】
【００１７】
図４、５は本発明における実施例２の筆記具の軸筒示したものである。内グリップ１５先端の外鍔の外径Ｌ及び対向する外グリップ１４の先端内径Ｌ’を、内グリップ１５後端の外鍔の外径Ｍ及び対向する外グリップ１４の後端内径Ｍ’よりも小さく（Ｌ＜Ｍ、Ｌ’＜Ｍ’）し、内グリップ１５の外鍔の外径及び対向する外グリップ１４の内径を軸筒本体２の先端側から後端側に向かって徐々に拡大するように以外は、実施例１と同様にして筆記具の軸筒を得ている。
【００１８】
内グリップ１５の外鍔の外径及び対向する外グリップ１４の内径を、軸筒本体２の先端側から後端側に向かって徐々に拡大するようにしてあるので、外グリップ１４を被せる時に、外グリップ１４の先端内面は、内グリップ１５の先端側の外鍔１５ｂに接触しないので、外グリップ１４を内グリップ１５に被せやすいので、組立性が向上するので好ましい。
【実施例３】
【００１９】
図６から図９は本発明における実施例３の筆記具の軸筒２１を示したものである。内グリップ２５の外鍔２５ｂ、２５ｃ間に、等間隔に突部２５ｄを周状に突設した以外は、実施例１と同様にして筆記具の軸筒２１を得ている。
【００２０】
また、突部２５ｄの最大高さは、内グリップの外鍔２５ｂ、２５ｃの高さより小さくしてあるので、実施例１と同様に、内グリップ２５に軟質材で作製された外グリップ２４を被せる時に、内グリップ２５の外鍔２５ｂ、２５ｃのみが外グリップ２４の内面に接触するので、外グリップ２４を内グリップ２５に被せやすい。
【００２１】
こうして得られた二層構造のグリップは、内グリップ２４の外鍔２５ｂ、２５ｃが外グリップ２４の内面に接触し、その他の内グリップ２５の表面と外グリップ２４の内面の間に適宜の空間部２５ａが構成される。
【００２２】
また、手で外グリップを把持した時に、内グリップ２５の外鍔２５ｂ、２５ｃ部分では、硬い感触、突部のない空間部２５ａでは、外グリップ２４が十分に弾性変形をするので非常に柔らかい感触、突部２５ｄの部分ではその中間の感触と、異なる把持感触を得ることができる。特に突部２５ｄの部分では、突部２５ｄが把持力によって弾性変形する新たな把持感触を得ることができる。
【００２３】
内グリップの表面に形成する突部の形状は、特に限定されるものではなく、円弧状や柱状等、適宜選択して用いることができる。また、突部を等間隔に複数形成してもよいし、突部の間隔を異ならしてもよいし、周状に形成することもできる。更にまた、突部の一部を模様や文字表示を表わすように突部を形成することとも可能である。
【００２４】
また、図示はしていないが、突部の最大高さを、軸筒本体の先端側から後端側に向かって徐々に拡大することによって、内グリップの表面と外グリップの内面間の空間部が、先端側と後端側で相違するため、内グリップの外鍔部分では、硬い感触、突部のない部分では、外グリップが十分に弾性変形をするので非常に柔らかい感触、突部の部分ではその中間の感触に、更に内グリップが突部の部分でも、把持部の先端側と後端側で異なる把持感触を得ることができる。
【００２５】
尚、本実施例では、便宜上、内グリップの表面に外鍔を形成してあるが、外グリップの内面に内鍔を形成してもよいし、外グリップに内鍔及び内グリップに外鍔の両方を形成してもよい。内グリップの外鍔を形成するほうが、製造が容易であるので最も好ましい。
【００２６】
また、内グリップを着色した軟質材で形成するとともに、外グリップを透明な軟質材で形成すれば、内グリップの突部を模様として表わすことができる。また、外グリップを透明な軟質材で形成するとともに内グリップも透明な軟質材で形成すれば、軸筒が透けて見えるので新たな外観が表現できる。
【００２７】
更にまた、本実施例では便宜上、筆記体等を省略してあるが、筆記具として使用する場合には、軸筒内にボールペンレフィル等の筆記体を配設して使用する。また、本発明の筆記具の軸筒は、ノック式筆記具やキャップ式筆記具等、特に限定されることなく使用することができる。
【産業上の利用可能性】
【００２８】
筆記具のグリップの任意の箇所を任意の柔らかさに設定することができるので、シャープペンシル、ボールペン等種々の筆記具の軸筒に利用できるものである。
【図面の簡単な説明】
【００２９】
【図１】実施例１の筆記具の軸筒を示す一部省略した要部縦断面図である。
【図２】図１における組立前の状態を示す図である。
【図３】図１におけるＡ−Ａ断面図である。
【図４】実施例２の筆記具の軸筒を示す一部省略した要部縦断面図である。
【図５】図３における組立前の状態を示す図である。
【図６】実施例３の筆記具の軸筒を示す一部省略した要部縦断面図である。
【図７】図６における組立前の状態を示す図である。
【図８】図６におけるＢ−Ｂ断面図である。
【図９】図６におけるＣ−Ｃ断面図である。
【符号の説明】
【００３０】
１、１１、２１  筆記具の軸筒
２  軸筒本体
３  把持部
４、１４、２４  外グリップ
４ａ、１４ａ、２４ａ  内壁面
５、１５、２５  内グリップ
５ａ、１５ａ、２５ａ  空間部
５ｂ、１５ｂ、２５ｂ  外鍔（先端側）
５ｃ、１５ｃ、２５ｃ  外鍔（後端側）
６  口金
２５ｄ  突部
【図１】
2008012717.tif 000003
【図２】
2008012717.tif 000004
【図３】
2008012717.tif 000005
【図４】
2008012717.tif 000006
【図５】
2008012717.tif 000007
【図６】
2008012717.tif 000008
【図７】
2008012717.tif 000009
【図８】
2008012717.tif 000010
【図９】
2008012717.tif 000011